(57)【要約】【課題】グリップベルトがわずかに移動できるような構成では、ビスがグリップベルトと干渉しビスが緩む可能性があったり、グリップベルトの孔内面がビスのネジ部によって損傷して最悪の場合はグリップベルトが切断してしまう可能性があるという問題点を有していた。【解決手段】グリップベルト金具２０２に円筒状の深しぼり部２０２ａを構成することで、グリップベルト２０１とビス２０７の干渉を無くすことで、あらゆるグリップベルト２０１の動きに対し、ビス２０７の緩みを防止したり、グリップベルト２０１の損傷を防止することができる。【選択図】  図１
2004236272.tif 000002
【特許請求の範囲】
【請求項１】
帯状のグリップベルトの少なくとも一端を装置本体に固定するグリップベルト固定装置であって、前記グリップベルトの一端に設けられた孔と、前記グリップベルトを固定する部位である装置本体上の固定部と、前記固定部に前記グリップベルトを挟み込んで保持する補強部材と、前記補強部材に設けられた円筒部と、前記円筒部を挿通させ前記固定部に締結固定する締結手段とを備え、前記円筒部を前記孔に挿通させ、前記締結手段を前記円筒部内を挿通させて前記固定部に締結固定することを特徴とするグリップベルト固定装置。
【請求項２】
円筒部の長さ寸法は、少なくともグリップベルトの厚さ寸法よりも長いことを特徴とする請求項１記載のグリップベルト固定装置。
【発明の詳細な説明】
【０００１】
【発明の属する技術分野】
本発明は、ビデオカメラやデジタルカメラ等の記録再生装置における、グリップベルトの固定金具に関するものである。
【０００２】
【従来の技術】
ビデオカメラやにおいて、グリップベルトの固定方法は多々存在するが、前モデルの構成に対して比較説明をする。固定金具は２個必要とし、グリップベルトには穴が開き、グリップベルトを上下から挟み込み、ビスにて固定を行っていた。
【０００３】
以下、図を参照しながら従来の構成について説明する。
【０００４】
図６は従来のグリップベルト固定装置を用いたビデオカメラの全体構成を示す斜視図、図７はビデオカメラにおけるグリップベルト固定部分の要部平面図、図８は図７のＢ−Ｂ部を分解した分解断面図、図９は図８に示すように分解された部品を組み立てた断面図、図１０はグリップベルト固定装置の組立工程を示す分解斜視図、図１１は図１０によって組み立てられたグリップベルト固定装置をビデオカメラに固定する工程を示す斜視図である。
【０００５】
図において、１０１はグリップベルト、１０２はその平面部の一部にグリップベルト１０１をリアカバーベルト補強金具１０３とともに挟み込んで固定するグリップベルト補強金具、１０３はグリップベルト金具１０２とともにグリップベルト１０１の端部を挟み込んで固定するリアカバーベルト補強金具、１０４はグリップベルト補強金具１０２及びリアカバーベルト補強金具１０３とが外部に露出しないよう覆うグリップベルトピース、１０５はビデオカメラ本体１０６の一部を成すリアケース、１０６はビデオカメラ本体、１０７はリアカバーベルト補強金具１０３とグリップベルト１０１とをグリップベルト補強金具１０２に固定するためのビスである。
【０００６】
以上のように構成された従来のグリップベルト固定装置について、以下その構成上の特徴について説明する。
【０００７】
まず、図６に示すようにビデオカメラ本体１０６側面には、使用者が右手で持ち撮影使用する際に、右手にて保持可能なように、グリップベルト１０１が設けられている。使用者はグリップベルト１０１とビデオカメラ本体１０６との間に右手を挿入し、手のひら側でビデオカメラ本体１０６を把持することで、保持することが可能になる。
【０００８】
次に、グリップベルト１０１をビデオカメラ本体１０６に固定している構成について詳述する。
【０００９】
図７は、図６におけるＣ−Ｃ部を分解して内部を表示したものであり、ビデオカメラ本体１０６の外郭の一部を成すリアケース１０５の、内部下端にはグリップベルト１０１の一端部が固定されている。
【００１０】
グリップベルト１０１の固定方法としては、まず図８及び図１０に示すように、グリップベルト１０１とグリップベルト固定金具１０２とリアカバーベルト補強金具１０３とビス１０７とが分離された状態から、まず図１０に示すように、グリップベルト１０１を矢印ｅ方向へ移動させ、グリップベルト１０１の一端部をリアケース１０４の孔１０４ａを挿通させる。
【００１１】
次に、グリップベルト１０１をグリップベルト補強金具１０２の上面に載置する。この時、グリップベルト１０１に設けられた孔１０１ａと、グリップベルト補強金具１０２に設けられた孔１０２ａの位置とが一致するようにする。
【００１２】
次に、リアカバーベルト補強金具１０３を矢印ｆ方向へ移動させ、グリップベルト補強金具１０２上に載置されたグリップベルト１０１上に載置する。この時、リアカバーベルト補強金具１０３に設けられた孔１０３ａと、グリップベルト１０１に設けられた孔１０１ａの位置とが一致するように取り付ける。リアカバーベルト補強金具１０３をグリップベルト補強金具１０２に取り付ける際は、リアカバーベルト補強金具１０３に設けられた曲げ部１０３ｂを、グリップベルト補強金具１０２の切り欠き部１０２ａに係合させる。
【００１３】
次に、ビス１０７を矢印ｇ方向（図８では矢印ｄ）へ移動させ、リアカバーベルト補強金具１０３に設けられた孔１０３ａ、グリップベルト１０１の孔１０１ａの順に挿通し、グリップベルト補強金具１０２の孔１０２ａに螺合させる。なお、孔１０２ａの内面にはビス１０７と螺合可能なように、ネジが切ってある。このようにして組み立てられた部品は、最終的に図９及び、図１１に示すグリップベルトユニット１０９に示すようになる。
【００１４】
次に、図１１に示すようにグリップベルトユニット１０９に設けられた孔１０９ａ（実際はグリップベルト補強金具１０２に設けられた孔１０２ｃに相当）に、ビス１０８を挿通させてリアケース１０５に設けられた穴１０５ａに螺合させることで、グリップベルトユニット１０９をリアケース１０５に固定することができる。なお、穴１０５ａにはビス１０８が螺合可能なように、内面にネジが切ってある。
【００１５】
最後に、図７に示すようにグリップベルトユニット１０９が固定されたリアケース１０５を、ビデオカメラ本体１０６の所定位置に装着することで、グリップベルト１０１をビデオカメラ本体１０６に装着することができる。
【００１６】
こうして装着されたグリップベルト１０１は、図６の矢印ｊ方向に所定範囲回動可能なように、ビス１０７を螺合している。
【００１７】
【特許文献１】
特開２００１−１７８８６２号公報
【００１８】
【発明が解決しようとする課題】
しかしながら上記従来の構成では、グリップベルト１０１は使用感を向上させるために、グリップベルト１０１が矢印ｊ方向へわずかに回動可能なように螺合してあったり、グリップベルト１０１とビス１０７及びグリップベルト補強金具１０２との間に隙間を設けたことにより矢印ｉ方向へわずかに移動できるようにしてあったりする。グリップベルト１０１が矢印ｉやｊ方向へわずかに移動できるような構成では、ビス１０７がグリップベルト１０１と干渉しビス１０７が緩む可能性があったり、グリップベルト１０１の孔１０１ａ内面がビス１０７のネジ部によって損傷して最悪の場合はグリップベルト１０１が切断してしまう可能性があるという問題点を有していた。
【００１９】
本発明は上記の問題点を解決するもので、グリップベルト金具に筒状の深シボリを設けてグリップベルトとビスの干渉を防ぎ、あらゆるグリップベルトの動きに対し、ビスの緩みを防止できるとともに、グリップベルトの損傷を防止することができるグリップベルト固定装置を提供することを目的とする。
【００２０】
【課題を解決するための手段】
この目的を達成するために本発明のグリップベルト金具は、帯状のグリップベルトの少なくとも一端を装置本体に固定するグリップベルト固定装置であって、前記グリップベルトの一端に設けられた孔と、前記グリップベルトを固定する部位である装置本体上の固定部と、前記固定部に前記グリップベルトを挟み込んで保持する補強部材と、前記補強部材に設けられた円筒部と、前記円筒部を挿通させ前記固定部に締結固定する締結手段とを備え、前記円筒部を前記孔に挿通させ、前記締結手段を前記円筒部内を挿通させて前記固定部に締結固定する構成を有する。グリップベルトとビスの干渉を筒状の深シボリで防ぎ、あらゆるグリップベルトの動きに対し、ビスの緩み防止を実現することができる。
【００２１】
【発明の実施の形態】
本発明の請求項１及び２記載の発明は、帯状のグリップベルトの少なくとも一端を装置本体に固定するグリップベルト固定装置であって、前記グリップベルトの一端に設けられた孔と、前記グリップベルトを固定する部位である装置本体上の固定部と、前記固定部に前記グリップベルトを挟み込んで保持する補強部材と、前記補強部材に設けられた円筒部と、前記円筒部を挿通させ前記固定部に締結固定する締結手段とを備え、前記円筒部を前記孔に挿通させ、前記締結手段を前記円筒部内を挿通させて前記固定部に締結固定する構成とし、これにより、グリップベルト金具に筒状の深シボリを設けてグリップベルトとビスの干渉を防ぎ、あらゆるグリップベルトの動きに対し、ビスの緩みを防止できるとともに、グリップベルトの損傷を防止することができる。
【００２２】
以下、本発明の実施の形態について、図面を用いて説明する。
【００２３】
（実施の形態１）
図１は本実施の形態におけるグリップベルト固定装置をビデオカメラに設けた際の内部構造を示す平面図で、図６におけるビデオカメラ本体１０６からリアカバー１０５を取り除いた状態を示す側面図である。図２は本装置の組み立て工程を示す分解断面図で、図１のＡ−Ａ部の断面である。図３は図２に示す部品を組み立てた状態を示す断面図、図４は図２の組み立て工程を示す分解斜視図、図５は図４を異なる方向から見た分解斜視図である。
【００２４】
図において、２０１は帯状でその両端がビデオカメラ本体に装着されたグリップベルトで、その一端部はビスなどで固定され、他端部は着脱自在になっている。なお、本実施の形態ではその一端部の固定装置に関するものである。
【００２５】
２０２は略中央に円筒状の深しぼり部２０２ａ（円筒部材）を有する補強部材であるグリップベルト補強金具で、サイドケース２０５とともにグリップベルト２０１を挟み込んで固定する。なお、深しぼり部２０２ａは、図３に示すようにグリップベルト２０１を固定した際に、その先端がメインフレーム２０４に当接する長さ、及びグリップベルト２０１の厚さ寸法よりも大なる長さ寸法を有している。また、深しぼり部２０２ａの内径は、ビス２０７を挿通可能な大きさ、つまりビス２０７のネジ部の外径よりも大きな径を有している。また、深しぼり部２０４ａの外径は、グリップベルト２０１の孔２０１ａと、サイドケース２０５の孔２０５ａとを挿通可能な径を有している、つまり、孔２０１ａ及び２０５ａの内径よりも大きな外径を有している。
【００２６】
グリップベルト補強金具２０２の上端及び下端には、組み立てた際にサイドケース２０５に当接するように曲げ部２０２ｂが設けられている。この曲げ部２０２ｂの高さ寸法は、少なくともグリップベルト２０１の厚さ寸法よりも大きなものとなっている。
【００２７】
２０４はビデオカメラ本体の内部構成（各種メカニズムや各種回路基板）を保持するメインフレームで、メインフレーム２０４は例えばアルミニウムなどの軽量金属からなる。２０５はメインフレーム２０４の外郭として設けられビデオカメラ本体の外郭を成すサイドケースで、薄肉の樹脂や金属からなる。なお、メインフレーム２０４における孔２０４ａ近傍を固定部とする。
【００２８】
２０７はグリップベルト補強金具２０２とグリップベルト２０１とをメインフレーム２０４に固定するための締結手段であるビスである。メインフレーム２０４にはビス２０７を螺合して固定可能な孔２０４ａが設けられている。
【００２９】
以上のように構成された本実施の形態のグリップベルト固定装置について、以下その構成上の特徴について説明する。
【００３０】
まず、前述の従来技術で説明したように、図６に示すようにビデオカメラ本体１０６側面には、使用者が右手で持ち撮影使用する際に、右手にて保持可能なように、グリップベルト１０１が設けられている。使用者はグリップベルト１０１とビデオカメラ本体１０６との間に右手を挿入し、手のひら側でビデオカメラ本体１０６を把持することで、保持することが可能になる。本実施の形態は符号こそ異なるが、ビデオカメラ本体に対するグリップベルトの役割は基本的に同様なので、上記説明を行った。
【００３１】
次に、グリップベルト２０１をビデオカメラ本体に固定する構成について詳述する。
【００３２】
図１は、図６におけるリアケース１０５をビデオカメラ本体１０６から取り外し、内部が露出した状態を示す側面図であり、ビデオカメラ本体の外郭の一部を成すサイドケース２０５の側面下端にはグリップベルト２０１の一端部が固定されている。
【００３３】
グリップベルト２０１の固定方法としては、まず図２と図４と図５に示すように、各部品が分離した状態から、サイドケース２０５上にグリップベルト２０１を当接させる。この時、グリップベルト２０１に設けられた孔２０１ａの位置と、サイドケース２０５に設けられた孔２０５ａの位置とが一致するように当接させる。
【００３４】
次に、略中央に深しぼり部２０２ａを備えたグリップベルト補強金具２０２を、グリップベルト２０１上に当接させる。この時、深しぼり部２０２ａの位置が、グリップベルト２０１の孔２０１ａ及びサイドケース２０５の孔２０５ａの孔の位置と一致するように当接させる。そして、深しぼり部２０２ａを、孔２０１ａ及び孔２０５ａを挿通させ、深しぼり部２０２ａの先端がメインフレーム２０４に当接するまで挿通させる。
【００３５】
次に、ビス２０７を図２の矢印ａ方向（図４では矢印ｂ、図５では矢印ｃ）へ移動させる。つまり、ビス２０７をグリップベルト補強金具２０２の孔２０２ａ、グリップベルト２０１の孔２０１ａ、サイドケース２０５の孔２０５ａの順に挿通させ、メインフレーム２０４の孔２０４ａに螺合させる。なお、孔２０４ａの内面にはビス２０７と螺合可能なように、ネジが切ってある。このようにして組み立てられた部品は、最終的に図１及び図３に示すようになる。
【００３６】
こうして装着されたグリップベルト２０１は、使用感向上のために、グリップベルト補強金具２０２やサイドケース２０５に対して、ある程度の遊びを有し、深しぼり部２０２ａを中心にわずかに矢印ｋ方向に回動可能に装着されている。
【００３７】
以上のように本実施の形態によれば、グリップベルト金具２０２に円筒状の深しぼり部２０２ａを構成することで、グリップベルト２０１とビス２０７の干渉を無くすことで、あらゆるグリップベルト２０１の動きに対し、ビス２０７の緩みを防止したり、グリップベルト２０１の損傷を防止することができるという優れた効果が得られる。
【００３８】
【発明の効果】
以上のように本発明のグリップベルト固定装置は、ビデオカメラ等の機器本体に設けられているグリップベルトを、あらゆる動きに対し、ビスの緩みを防止したり、グリップベルトの損傷を防止することができるという優れた効果を得られる。
【図面の簡単な説明】
【図１】本発明の実施の形態におけるグリップベルト固定装置をビデオカメラに設けた際の内部構造を示す平面図
【図２】同実施の形態における本装置の組み立て工程を示す分解断面図
【図３】図２に示す部品を組み立てた状態を示す断面図
【図４】図２の組み立て工程を示す分解斜視図
【図５】図４を異なる方向から見た分解斜視図
【図６】従来のグリップベルト固定装置を用いたビデオカメラの全体構成を示す斜視図
【図７】同ビデオカメラにおけるグリップベルト固定部分の要部平面図
【図８】同図７のＢ−Ｂ部を分解した分解断面図
【図９】同図８に示すように分解された部品を組み立てた断面図
【図１０】同グリップベルト固定装置の組立工程を示す分解斜視図
【図１１】同図１０によって組み立てられたグリップベルト固定装置をビデオカメラに固定する工程を示す斜視図
【符号の説明】
２０１  グリップベルト
２０２  グリップベルト補強金具
２０２ａ  深しぼり部
２０４  メインフレーム
２０５  サイドケース
２０７  ビス
【図１】
2004236272.tif 000003
【図２】
2004236272.tif 000004
【図３】
2004236272.tif 000005
【図４】
2004236272.tif 000006
【図５】
2004236272.tif 000007
【図６】
2004236272.tif 000008
【図７】
2004236272.tif 000009
【図８】
2004236272.tif 000010
【図９】
2004236272.tif 000011
【図１０】
2004236272.tif 000012
【図１１】
2004236272.tif 000013